(57)【特許請求の範囲】
【請求項１】
外壁材と、建材と、これらの外壁材と建材との間に配置された目地調整材とを備えて構成される目地構造であって、
前記目地調整材は前記建材に接続されているとともに、前記外壁材との間の目地を所定幅とする幅寸法を有し、
前記建材は、前記外壁材側への長さを有するとともに、止着具で建物の躯体に固定される第１延出部と、この止着具よりも前記外壁材とは反対側において前記第１延出部から建物外側方向に延びる第２延出部と、この第２延出部の前記外壁材側の側面に設けられた被係止部とを有しており、
前記目地調整材は、前記第１延出部の前記止着具を覆う本体部と、この本体部の一端に前記被係止部に係止可能に設けられた係止部と、前記本体部の他端に設けられ、前記建物の躯体に止着具で固定される基端部とを備えていることを特徴とする目地構造。
【請求項２】
外壁材と、建材と、これらの外壁材と建材との間に配置された目地調整材とを備えて構成される目地構造であって、
前記目地調整材は前記建材に接続されているとともに、前記外壁材との間の目地を所定幅とする幅寸法を有し、
前記建材を建物の躯体に固定する止着具は前記目地調整材の本体部で覆われ、この本体部の一端に設けられた係止部は前記建材の前記外壁材側の側面に設けられた被係止部に係止しているとともに、前記本体部の他端に設けられた基端部は止着具で建物の躯体に固定され、
この基端部が配置されている前記外壁材と前記目地調整材との間の前記目地が、これらの外壁材と目地調整材とに隣接して配置されている他の外壁材同士の間の目地と連続し、これらの目地に目地剤が充填されていることを特徴とする目地構造。
【請求項３】
請求項１又は２に記載の目地構造において、前記建材は、建物シャッターのシャッターカーテンの開閉動作を案内するガイドレールであることを特徴とする目地構造。
【請求項４】
外壁材と建材との間において前記建材に接続されて配置され、前記外壁材との間の目地を所定幅とする幅寸法を有する目地調整材であって、
前記建材を建物の躯体に固定する止着具を覆うための本体部と、
この本体部の一端に設けられ、前記建材の前記外壁材側の側面に設けられた被係止部に係止可能となる係止部と、
前記本体部の他端に設けられているとともに前記外壁材側へ延び、前記建物の躯体に止着具で固定される基端部とを備えていることを特徴とする目地調整材。
【請求項５】
請求項４に記載の目地調整材において、前記建材は、建物シャッターのシャッターカーテンの開閉動作を案内するガイドレールであることを特徴とする目地調整材。
【発明の詳細な説明】
【０００１】
【発明の属する技術分野】
本発明は、建物の外壁部の目地幅を調整するための目地調整材に係り、外壁部に、外壁材と、例えば建物用シャッターのガイドレール等の建材とが間隔を開けて隣接並設される場合に利用できるものである。
【０００２】
【背景技術】
図５は、建物の躯体である柱５１に外壁材であるサイディング５２を取り付けたときを示しており、このサイディング５２は建物のモジュール寸法に基づいた長さＬを有している。窓等の開口部５３を開閉する建物用シャッターが取り付けられる建物では、図６〜図８に示すように、開口部５３のサッシ５４の左右両側において、建物用シャッターのシャッターカーテン５５の上下開閉動作を案内するための建材になっているガイドレール５６が柱５１に取り付けられ、このガイドレール５６は、建物の外壁部にサイディング５２と間隔を開けて隣接並設される。
【０００３】
開口部５３の左右両側に設けられるガイドレール５６の間隔寸法は建物のモジュール寸法に基づいておらず、このため、それぞれのガイドレール５６の配置位置も建物のモジュール寸法に基づいておらず、したがって図５の長さがＬとなっているサイディング５２を使用した場合には、このサイディング５２とガイドレール５６との間は、建物のモジュール寸法と対応した所定幅の目地にならない。
【０００４】
図６〜図８はこのような場合に採られている従来の作業方法を示す。図６では、ＬよりもＬ´だけ長い特別寸法のサイディング５２´を作り、このサイディング５２´とガイドレール５６とを間隔を開けて隣接並設し、これらの間に目地剤５７を充填している。図７では、建物の建設現場でサイディング５２から幅がＬ´となった細幅のサイディング５８を作り、このサイディング５８を長さがＬのサイディング５２に接続配置し、サイディング５７とガイドレール５６との間に目地剤５７を充填している。図８では、長さがＬのサイディング５２をそのまま使用し、サイディング５２とガイドレール５６との間の大きな幅の目地に多量の目地剤５７を充填している。
【０００５】
【発明が解決しようとする課題】
図８の作業方法では、目地の幅は本来の所定寸法とならず、問題の解決とはならない。特に、サイディング５２とガイドレール５６との間は所定の目地幅より大きくなるため、目地剤５７を所定通り均一に充填することは難しくなる。また、図６と図７の作業方法では、特別のサイディング５２´、５８を製作しなければならないため、作業性が悪くなるという問題があり、これに加えて、サイディング５２´，５８は建物のモジュール寸法と関係のない寸法になり、これが建物の外壁部に配置されるため、外観上の点でも好ましくない。
【０００６】
本発明の目的は、サイディング等の外壁材と建物用シャッターのガイドレール等の建材とが間隔を開けて隣接並設されるとき、建物のモジュール寸法に基づいた長さの外壁材をそのまま使用できるとともに、目地を形成する作業を簡単に施工できるようになる目地調整材を提供するところにある。
【０００７】
【課題を解決するための手段】
本発明に係る目地調整材は、建物の外壁部に間隔を開けて隣接並設される外壁材と建材との間に配置され、これらの外壁材と建材のうちの一方との間の目地を所定幅とするための幅寸法で予め形成されていることを特徴とするものである。
【０００８】
このように本発明に係る目地調整材は、外壁材と建材のうちの一方との間の目地を所定幅とするための幅寸法で予め形成されたものとなっているため、建物の建設現場に持ち込むと、直ちに外壁材と建材との間に配置することができるとともに、この配置により、建物のモジュール寸法に基づいた長さの外壁材を使用しかつ建材の配置位置が建物のモジュール寸法に基づていなくても目地幅を所定値に調整できるようになり、このため、目地作業の良好な施工性を得られ、また、外観も良好となる。
【０００９】
目地調整材によって調整される目地の幅は建物のモジュール寸法に基づいた所定値であればよいが、建物の外壁部が複数の外壁材を間隔を開けて隣接並設することにより形成されている場合には、目地調整材によって調整される目地の幅は、これらの外壁材同士の間の目地の幅と同じになるように設定することがより好ましいことである。
【００１０】
このように目地調整材によって調整される目地の幅を外壁材同士の間の目地の幅と同じになるように設定すると、外壁材と建材との間の目地および外壁材同士の間の目地について、目地幅が統一されることになり、目地剤を充填する等の目地に関する作業を容易化できる。
【００１１】
また、目地調整材は、外壁材と建材のうち外壁材に接続してこれらの外壁材と建材の間に配置してもよいが、目地調整材は建材に接続して外壁材と建材との間に配置することがより好ましいことである。
【００１２】
このように目地調整材を外壁材と建材のうち建材に接続して外壁材と建材との間に配置すると、それぞれの外壁材は建物のモジュール寸法に基づいた長さとなっているため、外壁材と建材との間の目地の長さ方向に続いて外壁材同士の間の目地が形成されている場合には、これらの目地同士は幅寸法が一致するとともに、その位置も一致するため、これらの目地は正確に連続することになり、この結果、目地剤を充填する作業を連続的に行え、また外観は良好になる。
【００１３】
目地調整材の形状、構造は任意であるが、建材が、外壁材側への長さを有するとともに、建物の躯体に固定される第１延出部と、この止着具よりも外壁材とは反対側において第１延出部から建物外側方向に延びる第２延出部と、この第２延出部の外壁材側の側面に設けられた被係止部とを有している場合には、この目地調整材を、第１延出部の前記止着具を覆う本体部と、この本体部の一端に前記被係止部に係止可能に設けられた係止部と、本体部の他端に設けられ、建物の躯体に止着具で固定される基端部とを備えているものとすることがより好ましいことである。
【００１４】
目地調整材をこのように形成すると、本体部で建材の第１延出部の止着具を隠すことができ、また、係止部を建材の被係止部に係止して基端部を止着具で建物の躯体に止めることにより、目地調整材を外壁材と建材との間において建材に接続して固定するため、この固定作業を、目地調整材の本体部における建材の第２延出部側の一端の係止部を建材の被係止部に係止することにより行うため、止着具による目地調整材の建物の躯体への止め作業は、目地調整材の本体部における外壁材側の他端の基端部を止着具で建物の躯体に止めるだけで行えることになり、この止め作業を簡単に行える。
【００１５】
以上において、外壁材はサイディングでもよく、またタイルでもよく、建物の外壁を形成するものであれば任意な部材でよい。また、建材は建物用シャッターのガイドレールでもよく、窓等の開口部に配置されるサッシでもよく、これらのガイドレールとサッシが一体化されたものでもよく、その他、任意な建材でよい。そして、外壁材と建材との間の目地は上下方向に延びるものとなっていてもよく、左右方向に延びるものとなっていてもよい。また、本発明に係る目地調整材はアルミ合金等による金属製でもよく、プラスチック製でもよく、また、その成形方法は、押し出し、引き抜き、射出、プレス等でもよい。
【００１６】
【発明の実施の形態】
以下に本発明の一実施形態を図面に基づいて説明する。図１は、本実施形態に係る目地調整材が使用されている建物用シャッター１を備えた建物の外壁部を示している。
【００１７】
図１に示されているように、建物の窓等の開口部２には、障子３が組み込まれたサッシ４が設けられている。建物用シャッター１は、開口部２の上部に配置されたシャッターボックス５と、シャッターボックス５の内部の巻取部６に繰り出し自在に巻き取られたシャッターカーテン７と、開口部２の左右両側に配設され、シャッターカーテン５の上下開閉動作を案内するガイドレール８とを含んで構成されている。
【００１８】
開口部２以外の建物の外壁部には、外壁材である複数のサイディング９同士が所定間隔を開けて建物の躯体に釘等の止着具で固定されて隣接並設され、これらのサイディング９の左右長さは、建物のモジュール寸法に基づいて定められたＬとなっており、サイディング９同士の間の間隔はＡとなっている。一方、左右のガイドレール８の間隔寸法は、建物のモジュール寸法に基づいたものとなっておらず、このため、それぞれのガイドレール８の配置位置は建物のモジュール寸法に基づいたものになっていない。
【００１９】
図２は図１のＩＩ−ＩＩ線断面図で、図３は図２の一部拡大図であり、これらの図では障子３は省略されており、また、これらの図は建物の室内側を手前として示されている。図３に示されている通り、サッシ４は建物の躯体である柱１０にビス１１，１２で止められ、このサッシ４の後部には開口部２の枠部材１３が配置され、この枠部材１３に建物の室内側に配置された内壁材１４の端部が接続されている。
【００２０】
図２に示されているように、建物の建材になっている建物用シャッター１の左右両側のガイドレール８は左右対称形状になっており、これらのガイドレール８は、図３に示されている通り、柱１０の正面に沿った左右方向の幅寸法を有する第１延出部１５と、この第１延出部１５から直角に建物外側方向に延びる第２延出部１６と、この第２延出部１６における開口部２とは反対側のサイディング９側の側面に平断面Ｌ字状に突出して設けられた被係止部１７とを備えており、第２延出部１６の先端が、シャッターカーテン７の端部が摺動自在に挿入されたガイド部１８となっている。第１延出部１５は第２延出部１６との接続部からサイディング９側へ延びる長さを有し、この部分が釘やビス等による止着具１９で柱１０に固定され、これによりガイドレール８が、開口部３の左右側部に配置されたサイディング９とに間隔を開けて隣接並設されるようになっている。
【００２１】
ガイドレール８の第２延出部１６とサイディング９との間には、本実施形態に係る目地調整材２０が配置される。この目地調整材２０は、図３で示されているように、ガイドレール８の第２延出部１６と平行をなす前方延出部２１Ａと、この前方延出部２１Ａの先端からガイドレール８の第２延出部１６側へ延びる側方延出部２１Ｂとからなる平断面Ｌ字状の本体部２１を有し、この本体部２１はガイドレール８の第１延出部１５の止着具１９の前方に配置されるため、止着具１９は本体部２１で覆われるようになっている。
【００２２】
本体部２１におけるガイドレール８の第２延出部１６側の一端は係止部２２となっており、この係止部２２は第２延出部１６の被係止部１７に弾圧的に係止可能になっている。本体部２１におけるサイディング９側の他端は、本体部２１の前方延出部２１Ａの基部から柱１０に沿ってサイディング９側へ延びる基端部２３となっており、この基端部２３は釘やビス等による止着具２４で柱１０に固定されるようになっている。
【００２３】
また、図３に示されている通り、係止部２２がガイドレール８の第２延出部１６の被係止部１７に係止されているときにおける目地調整材２０の本体部２１の前方延出部２１Ａとサイディング９との間の間隔がＡとなるように、目地調整材２０の左右幅寸法が設定され、この幅寸法は図３においてＢと表示されている。言い換えると、目地調整材２０の係止部２２を被係止部１７に係止しながら基端部２３を止着具２４で柱１０に固定したとき、幅寸法Ｂの目地調整材２０により、目地調整材２０の本体部２１の前方延出部２１Ａとサイディング９との間に幅がＡとなった目地を形成できるようになっている。
【００２４】
以上の目地調整材２０は、図４に示されているように、ガイドレール８と同じく上下方向に長い長さを有し、例えば、アルミ合金を材料とする押し出し成形品として形成されて建物の建設現場に持ち込まれる。
【００２５】
目地調整材２０を使用した目地作業は以下の通り行われる。建物の建築現場において、建物用シャッター１のガイドレール８を柱１０に止着具１９で取り付け、これにより、ガイドレール８と、開口部２の左右側部に配置されたサイディング９とを隣接配置した後、目地調整材２０の係止部２２をガイドレール８の第２延出部１６の被係止部１７に弾圧的に係止しながら、目地調整材２０の基端部２３を柱１０の正面に当てがい、この基端部２３を止着具２４で柱１０に固定し、複数の止着具２４によって目地調整材２０の全長を柱１０に固定する。
【００２６】
これにより、目地調整材２０の本体部２１の前方延出部２１Ａとサイディング９との間に幅がＡとなった目地２６ができ、この目地２６に目地剤２５を充填する。
【００２７】
以上説明した本実施形態によると、目地調整材２０はＢの幅寸法を有し、この幅寸法は、係止部２２の被係止部１７への係止により目地調整材２０をガイドレール８に接続しながらガイドレール８とサイディング９との間に目地調整材２０を配置したとき、目地調整材２０の本体部２１の前方延出部２１Ａとサイディング９との間に所定幅Ａの目地を形成できるものに予め設定されているため、サイディング９の長さＬが建物のモジュール寸法に基づいたものとなっているが、建物用シャッター１の左右両側のガイドレール８の間隔寸法が建物のモジュール寸法に基づかない寸法になっており、このため、それぞれのガイドレール８の配置位置がこのモジュール寸法に基づかない位置になっていても、目地調整材２０を建物の建設現場に持ち込んでガイドレール９とサイディング９との間に配置し、止着具２４で目地調整材２０を柱１０に固定するだけで所定幅Ａの目地２６を形成できるようになり、この目地２６を形成する作業の施工性が良好となり、作業の効率化を図ることができる。
【００２８】
また、目地調整材２０によってガイドレール８の外側に形成される目地２６の幅Ａは、建物の外壁部に形成されている図１で示すサイディング９同士の間の目地の幅と同じとなり、外壁部の全部の目地の幅を統一することが可能になる。
【００２９】
また、目地調整材２０をガイドレール８とサイディング９との間に配置することは、目地調整材２０をサイディング９に接続して行うのではなく、目地調整材２０をガイドレール８に接続して行うため、図１で示す目地調整材２０で形成される目地２６は、目地調整材２０の上側、下側に配置されたサイディング９Ａと、このサイディング９Ａの横に配置されたサイディング９Ｂとの間の目地２７に対して正確に位置が一致することになり、すなわち、両方の目地２６，２７が連続することになる。これにより、目地２６，２７に目地剤２５を充填する作業を連続的に行え、また、建物の外壁部の外観は良好となる。
【００３０】
また、本実施形態では、目地調整材２０の本体部２１はガイドレール８の第１延出部１５に打ち込まれる止着具１９を覆うものとなっているため、この止着具１９を目地調整材２０で隠すことができ、そして、目地調整材２０は、係止部２２をガイドレール８の第２延出部１６に設けられている被係止部１７に係止しながら基端部２３を止着具２４で柱１０に止めることにより、ガイドレール８とサイディング９との間の所定位置に固定されるようになっているため、目地調整材２０を固定する作業は、目地調整材２０におけるサイディング９側の片側のみを止着具２４で柱１０に止めるだけでよく、目地調整材２２の左右両側の端部を止着具で柱１０に止める作業を行う必要がなく、したがって作業を簡単に短時間で行え、また、目地調整材２０は係止部２２の弾圧係止作用によりガイドレール８の被係止部１７に確実に接続することになる。
【００３１】
【発明の効果】
本発明によると、外壁材と建材とが間隔を開けて隣接並設されるとき、建物のモジュール寸法に基づいた長さの外壁材をそのまま使用できるとともに、目地を形成する作業を簡単に施工できるという効果を得られる。
【図面の簡単な説明】
【図１】本発明の一実施形態に係る目地調整材が使用された建物用シャッターを備えている建物の外壁部を示す正面図である。
【図２】図１のＩＩ−ＩＩ線断面図で、室内側を手前として示した断面図である。
【図３】図２の一部拡大図である。
【図４】目地調整材を示す斜視図である。
【図５】建物の躯体である柱に外壁材であるサイディングを取り付けた状態を示す平断面図である。
【図６】従来技術の第１例を示す平断面図である。
【図７】従来技術の第２例を示す平断面図である。
【図８】従来技術の第３例を示す平断面図である。
【符号の説明】
１  建物用シャッター
８  建材であるガイドレール
９  外壁材であるサイディング
１５  ガイドレールの第１延出部
１６  ガイドレールの第２延出部
１７  第２延出部の被係止部
１９，２４  止着具
２０  目地調整材
２１  目地調整材の本体部
２２  目地調整材の係止部
２３  目地調整材の基端部
２６，２７  目地
Ｌ  サイディングの長さ
Ａ  目地の幅
Ｂ  目地調整材の幅寸法
【図１】
0003580997.tif 000002
【図２】
0003580997.tif 000003
【図３】
0003580997.tif 000004
【図４】
0003580997.tif 000005
【図５】
0003580997.tif 000006
【図６】
0003580997.tif 000007
【図７】
0003580997.tif 000008
【図８】
0003580997.tif 000009